(57)【要約】【課題】  落下の虞がなく、またケーブルを傷つけることなく簡単に装着可能なケーブル標識札を提供することを目的とする。【解決手段】  ケーブルに装着するケーブル標識札であって、表面に標識情報を記載した平板状の表示板１と、表示板１の一端部から斜め上方に伸びる平板状の帯板部２と、表示板１の他端部から斜め下方に伸びる平板状の帯板部３とを有する。【選択図】図１
2009201302.tif 000002
【特許請求の範囲】
【請求項１】
ケーブルに装着するケーブル標識札であって、
表面に標識情報を記載した平板状の表示板と、
前記表示板の一端部から斜め上方に伸びる平板状の帯板部と、
前記表示板の他端部から斜め下方に伸びる平板状の帯板部とを有することを特徴とするケーブル標識札。
【請求項２】
ケーブルに装着するケーブル標識札であって、
表面に標識情報を記載した平板状の表示板と、
前記表示板の一端部から直角に上方と下方にそれぞれ伸びる平板状の帯板部と、
前記表示板の他端部から直角に上方と下方にそれぞれ伸びる平板状の帯板部とを有することを特徴とするケーブル標識札。
【請求項３】
請求項１又は請求項２に記載するケーブル標識札において、
前記表示板の両端部には波状の凹部が形成されていることを特徴とするケーブル標識札。
【発明の詳細な説明】
【技術分野】
【０００１】
本発明はケーブル標識札に関し、特に通信ケーブル等に装着してその管轄等を表示する場合の標識札として有用なものである。
【背景技術】
【０００２】
従来より通信ケーブルに標識札を装着してその管轄等を表示することが行われている。従来技術に係るこの種のケーブル標識札は、耐候性、耐衝撃性等に優れた塩化ビニル板等に管轄、所有者、目的等、所定の情報を記載して紐、バインド線等によりケーブルに取り付けていた。
【０００３】
この種の標識を開示するものとして送電線との離隔距離をクレーン等の作業者に明示して接触事故等を未然に防止することを目的とした特許文献１がある。また、経時変化によって印字が劣化せず、安価に形成できる配線用マークバンドを開示するものとして特許文献２がある。
【０００４】
【特許文献１】実用新案登録第３１０７２３７号公報
【特許文献２】特開２００４−２８２９３３号公報
【発明の開示】
【発明が解決しようとする課題】
【０００５】
しかしながら、上述の如き従来技術においては、強風地帯ではケーブル標識札が揺られて紐が切れ、落下する等の問題を生じていた。また、バインド線を使用した取り付けではケーブルに傷をつけずに確実に固着する必要があるため、作業に熟練と時間を要していた。さらに、バインド線を巻きつける方法では標識札が動いてしまう虞があった。
【０００６】
本発明は、上記従来技術に鑑み、落下の虞がなく、またケーブルを傷つけることなく簡単に装着可能なケーブル標識札を提供することを目的とする。
【課題を解決するための手段】
【０００７】
上記目的を達成するための本発明の第１の態様は、
ケーブルに装着するケーブル標識札であって、表面に標識情報を記載した平板状の表示板と、前記表示板の一端部から斜め上方に伸びる平板状の帯板部と、前記表示板の他端部から斜め下方に伸びる平板状の帯板部とを有することを特徴とするケーブル標識札にある。
【０００８】
本発明の第２の態様は、
ケーブルに装着するケーブル標識札であって、表面に標識情報を記載した平板状の表示板と、前記表示板の一端部から直角に上方と下方にそれぞれ伸びる平板状の帯板部と、前記表示板の他端部から直角に上方と下方にそれぞれ伸びる平板状の帯板部とを有することを特徴とするケーブル標識札にある。
【０００９】
本発明の第３の態様は、
上記第１又は第２の態様に記載するケーブル標識札において、
前記表示板の両端部には波状の凹部が形成されていることを特徴とするケーブル標識札にある。
【発明の効果】
【００１０】
本発明によれば、帯板部をケーブルの外周面に軸方向に沿って巻き付けることによりケーブル標識札を固定することができるので、特別な熟練を要することなく誰でも容易に装着作業を行うことができる。また、紐等による固定ではないので、一度固定すれば落下する虞もなく、位置ずれを生起することもない。
【発明を実施するための最良の形態】
【００１１】
以下本発明の実施の形態を図面に基づき詳細に説明する。
【００１２】
図１は本発明の第１の実施の形態に係るケーブル標識札を示す正面図である。同図に示すように、本形態に係るケーブル標識札は、ケーブル（図１には図示せず）に装着してその所有者等を表示するようステンレス等の耐食性、耐候性に優れた材料で形成したもので、表示板１と帯板部２，３とからなる。ここで、表示板１は、表面に標識情報（本形態の場合は「○○電力所」）が表示してある。標識情報に特別な制限はないが、当該ケーブル標識札を装着するケーブルの管轄、所有者、目的等を表すものを一例として挙げることができる。一方の帯板部２は表示板１の右端部から斜め上方に一体的に伸びる平板状の部材、他方の帯板部３は表示板１の左端部から斜め下方に一体的に伸びる平板状の部材である。ここで、表示板１の両端部には波状の凹部１ａ，１ｂが形成されている。
【００１３】
かかるケーブル標識札は、図２及び図３に示すような態様で使用される。すなわち、図２は通常のケーブル４の場合、図３はケーブル５ａが吊線５ｂに吊られている吊線付ケーブル５の場合である。本形態に係るケーブル標識札の装着時には、何れの場合も左右の帯板部２，３をケーブル４乃至吊線付ケーブル５の外周面に巻き付ける。ここで、帯板部２，３は表示板１から斜めに伸ばしてあるので、ケーブル４乃至吊線付ケーブル５に巻き付けた場合にはその軸方向に沿って螺旋状に巻き付けられる。また、帯板部２は上方に、帯板部３は下方に伸ばしてあるので、当該ケーブル標識札の巻き付けの際の螺旋の旋回方向が逆になる結果、表示板１が回転させられることはない。この結果、所定の巻き付け作業を容易且つ迅速に行うことができる。
【００１４】
さらに、ケーブル４，５に対しては波状の凹部１ａ，１ｂを介して当接するので、点Ａ，Ｂ，Ｃ，Ｄ部分で点接触となり、この部分での曲がりの防止と滑り止めの機能が発揮される。かくして、表示板１の曲げ及び位置ずれを生起することなく長期に亘り所定の装着状態が維持される。
【００１５】
図４は本発明の第２の実施の形態に係るケーブル表示札を示す正面図である。同図に示すように、本形態に係るケーブル標識札も第１の実施の形態と同様の用途に使用するもので、ステンレス等の耐食性、耐候性に優れた材料で形成してある。表示板１１には、表面に標識情報（本形態の場合は「○○電力所」）が表示してある。帯板部１２は表示板１１の右端部から直角に上方と下方にそれぞれ伸びる平板状の部材である。また、帯板部１３は表示板１１の左端部から直角に上方と下方にそれぞれ伸びる平板状の部材である。すなわち、本形態に係るケーブル標識札は平板部材でほぼＨ字形状に形成されている。また、表示板１１の両端部には波状の凹部１１ａ，１１ｂが形成されている。
【００１６】
かかるケーブル標識札は帯板部１２，１３をケーブル４乃至吊線付ケーブル５の外周面形状に沿って折り曲げることにより巻き付けて装着される。この際、凹部１１ａ，１１ｂにより点接触するので、第１の実施の形態と同様にずれが防止される。
【産業上の利用可能性】
【００１７】
本発明はケーブルに装着する標識札を製造・販売する産業分野で有効に利用することができる。
【図面の簡単な説明】
【００１８】
【図１】本発明の第１の実施の形態に係るケーブル標識札を示す正面図である。
【図２】本発明の第１の実施の形態に係るケーブル標識札をケーブルに装着した状態を示す図で、（ａ）は斜視図、（ｂ）は平面図である。
【図３】本発明の第１の実施の形態に係るケーブル標識札を吊線付ケーブルに装着した状態を示す斜視図である。
【図４】本発明の第２の実施の形態に係るケーブル標識札を示す正面図である。
【符号の説明】
【００１９】
１、１１                          表示板
１ａ，１ｂ，１１ａ，１１ｂ        凹部
２，３，１２，１３                帯板部
４                                ケーブル
５                                吊線付ケーブル
【図１】
2009201302.tif 000003
【図２】
2009201302.tif 000004
【図３】
2009201302.tif 000005
【図４】
2009201302.tif 000006